(57)【要約】【課題】  主側端末装置と従側端末装置との間で複数の画像を共有しつつ、従側端末装置でも画像ごとに表示を制御することができる画像共有システムを提供することにある。【解決手段】  主側端末装置２と従側端末装置３の間で画像を共有する画像共有システム１において、主側端末装置２は、表示部１７、画像データ取得部１８及び表示制御部１９を備え、画像データ取得部１８は、表示部１７に表示された複数の資料画像ごとに、資料画像全体の画像データを取得し、表示制御部１９は、資料画像に関する配置位置情報を取得し、主側端末装置２は、資料画像全体の画像データを配置位置情報とともに、従側端末装置３に送信し、従側端末装置３は、受信した資料画像全体の画像データ及び配置位置情報に基づいて表示することを特徴とする。【選択図】  図１
2014056367.tif 000002
【特許請求の範囲】
【請求項１】
主側端末装置と従側端末装置の間で画像を共有する画像共有システムにおいて、
前記主側端末装置は、表示部、画像データ取得部及び表示制御部を備え、
前記画像データ取得部は、前記表示部に表示された複数の資料画像ごとに、資料画像全体の画像データを取得し、
前記表示制御部は、前記資料画像に関する配置位置情報を取得し、
前記主側端末装置は、前記資料画像全体の画像データを前記配置位置情報とともに、前記従側端末装置に送信し、
前記従側端末装置は、受信した前記資料画像全体の画像データ及び前記配置位置情報に基づいて表示することを特徴とする画像共有システム。
【請求項２】
前記従側端末装置は、受信した前記資料画像全体の画像データから選択し、表示させることを特徴とする請求項１に記載の画像共有システム。
【請求項３】
前記主側端末装置は、会議で用いる複数の資料ファイルを記憶部に記憶し、前記資料ファイルの中から選択し、表示させることを特徴とする請求項１に記載の画像共有システム。
【請求項４】
前記従側端末装置は、受信した前記資料画像全体の画像データ以外にも、前記主側端末装置の記憶部に記憶されている前記資料ファイルの画像データを受信し、表示することを特徴とする請求項３に記載の画像共有システム。
【請求項５】
前記資料ファイルは、所定の従側端末装置に送信されないように送信規制が設定されていることを特徴とする請求項３に記載の画像共有システム。
【請求項６】
前記主側端末装置及び前記従側端末装置は、画像共有用のアプリケーションがインストールされており、前記複数の資料画像は、前記アプリケーションの中で表示されていることを特徴とする請求項１〜５のいずれかに記載の画像共有システム。
【発明の詳細な説明】
【技術分野】
【０００１】
本発明は、会議への参加者がそれぞれの端末装置で資料等を閲覧できる画像共有システムに関するものである。
【背景技術】
【０００２】
従来、会議やプレゼンテーション等において、参加者が会議資料を共有して見る方法として、プロジェクタによって会議資料の画像を投影する方法がある。その場合に、プロジェクタを大きな会議室で使用すると、投影されている画像から遠くに座っている参加者は見にくいという問題がある。また、遠方の会議室と遠隔会議を行う場合、遠方の会議室では、プロジェクタによって投影された画像を共有できず、別途別のプロジェクタによって投影する必要があった。
【０００３】
このような必要性から、近年、会議の各参加者はパーソナルコンピュータ等の端末装置を用い、ネットワークにより各端末装置を接続して、会議資料を端末装置の画面に共有し表示させて、プレゼンテーションや会議等を行うシステムが出てきている。
【０００４】
特許文献１には、ネットワークで接続された端末間で画像を共有し合う画像共有システムが開示されている。図８は、特許文献１の画像共有システムを示した図である。複数の端末装置がネットワークで接続されており、そのうち画像共有するアプリケーションが動作しているディスプレイステーション１０１は、マスタとして、一定時間ごとにディスプレイステーション１０１のデスクトップ画面１０２をキャプチャしてノートＰＣ１０３を含む他の端末装置に送信する。ノートＰＣ１０３は、スレーブとして、ディスプレイステーション１０１のデスクトップ画面１０２を受信して表示する。
【０００５】
また、各端末は、マスタであるかないかに関わらず、書き込み情報も共有し合うことができる。各端末のデスクトップ画面１０２の上には書き込みができる透明又は半透明なホワイトボード画面１０４が重ねて表示されており、ある端末が入力装置からホワイトボード画面１０４に書き込みを行った場合に、その書き込み情報を他の端末に送信し、他の端末は前記書き込み情報をデスクトップ画面１０２に重ねて表示する。
【先行技術文献】
【特許文献】
【０００６】
【特許文献１】特開２００６−１４６６２９号公報（平成１８年６月８日公開）
【発明の概要】
【発明が解決しようとする課題】
【０００７】
特許文献１の技術では、マスタであるディスプレイステーションは、表示されているデスクトップ画像全体をキャプチャし、スレーブであるノートＰＣに送信している。そのため、図８のようにディスプレイステーションの画面上で複数のウインドウが重なって表示されていた場合、ディスプレイステーションは複数のウインドウが重なったまま画像をキャプチャし送信する。ノートＰＣでは、送信された画像をそのまま表示することになるが、ノートＰＣ側で下に隠れたウインドウの内容を確認したい場合に、特許文献１のような画像共有システムでは、下に隠れたウインドウの内容を見ることができないといった問題があった。
【０００８】
本発明は、このような課題に鑑みてなされたものであり、その目的は、主側端末装置と従側端末装置との間で複数の画像を共有しつつ、従側端末装置でも画像ごとに表示を制御することができる画像共有システムを提供することにある。
【課題を解決するための手段】
【０００９】
本発明に係る画像共有システムは、主側端末装置と従側端末装置の間で画像を共有する画像共有システムにおいて、主側端末装置は、表示部、画像データ取得部及び表示制御部を備え、画像データ取得部は、表示部に表示された複数の資料画像ごとに、資料画像全体の画像データを取得し、表示制御部は、資料画像に関する配置位置情報を取得し、主側端末装置は、資料画像全体の画像データを配置位置情報とともに、従側端末装置に送信し、従側端末装置は、受信した資料画像全体の画像データ及び配置位置情報に基づいて表示することを特徴とする。
【００１０】
また、従側端末装置は、受信した資料画像全体の画像データから選択し、表示させることを特徴としても良い。また、主側端末装置は、会議で用いる複数の資料ファイルを記憶部に記憶し、資料ファイルの中から選択し、表示させることを特徴としても良い。また、従側端末装置は、受信した資料画像全体の画像データ以外にも、主側端末装置の記憶部に記憶されている資料ファイルの画像データを受信し、表示することを特徴としても良い。また、資料ファイルは、所定の従側端末装置に送信されないように送信規制が設定されていることを特徴としても良い。また、主側端末装置及び従側端末装置は、画像共有用のアプリケーションがインストールされており、複数の資料画像は、アプリケーションの中で表示されていることを特徴としても良い。
【発明の効果】
【００１１】
本発明によれば、従側端末装置を用いている参加者は、主側端末装置で開いている複数の画像を共有しつつ、画像ごとに表示を制御することができる。
【図面の簡単な説明】
【００１２】
【図１】本発明の一つの実施形態を示す画像共有システムのブロック図である。
【図２】主側端末装置の構成を示すブロック図である。
【図３】本発明の画像共有システムでの表示部上の画像表示例を示す図である。
【図４】従側端末装置の構成を示すブロック図である。
【図５】本発明の一つの実施形態を示す画像共有システムのブロック図である。
【図６】アノテーションを追加したときの画像共有システムを説明する図である。
【図７】本発明の一つの実施形態を示す画像共有システムのブロック図である。
【図８】特許文献１のマルチ画像表示システムの構成を示すブロック図である。
【発明を実施するための形態】
【００１３】
以下、本発明の実施の形態について図面に基づいて説明する。なお、本発明の図面において、同一の参照符号は、同一部分又は相当部分を表わすものとする。
【００１４】
〔実施形態１〕
図１は、本発明の一つの実施形態を示す画像共有システムのブロック図である。実施形態１に係る画像共有システム１は、主側端末装置２及び複数の従側端末装置３を備え、主側端末装置２及び従側端末装置３はネットワーク４を介して接続されている。本発明に係る画像共有システム１は、主側端末装置２と複数の従側端末装置３間で複数の画像を共有して行う会議に用いることができ、１つの会議室等で行われる会議や、離れた複数の拠点間で行う遠隔会議等で用いることができる。図１に示すように実施形態１に係る画像共有システム１は、１つの主側端末装置２と３つの従側端末装置３ａ、３ｂ、３ｃを含んでいる。
【００１５】
主側端末装置２は、会議の進行役や発表役の参加者が操作する端末装置であり、従側端末装置３は、進行役や発表役以外の参加者が操作する端末装置である。主側端末装置２では、参加者は会議資料等のファイルを開いて表示させ、会議を進行する。また、主側端末装置２で開いている資料ファイルの画像を従側端末装置３と共有するために、主側端末装置２は、資料ファイルの画像データ等をネットワーク４を介して従側端末装置３に送信する。従側端末装置３は、受信した画像データ等より主側端末装置２に表示している資料画像と同様の画像を表示させる。この結果、主側端末装置２と従側端末装置３間で資料画像を共有することができる。主側端末装置２及び従側端末装置３は、一般的なパーソナルコンピュータやスマートフォン、タブレット端末等から構成されおり、各端末装置は、画像共有用のアプリケーションがインストールされている。
【００１６】
図２は、主側端末装置２の構成を示すブロック図である。主側端末装置２は、制御部１１、入力部１２、出力部１３、操作入力デバイス１４、音声映像入力デバイス１５、記憶部１６、表示部１７、画像データ取得部１８、表示制御部１９を備える。
【００１７】
制御部１１は、ＣＰＵ等からなり、端末装置の全体を制御する処理部である。制御部１１は、端末装置に係るプログラムを実行したり、各機能部間でのデータの授受等を制御する。
【００１８】
入力部１２は、ネットワーク４を介して外部から画像データ等の情報を端末装置に入力するものである。出力部１３は、ネットワーク４を介して外部へ画像データ等の情報を出力するものである。入力部１２及び出力部１３は画像データ等の情報を入力し、出力する一つの入出力部として構成されても良い。
【００１９】
操作入力デバイス１４は、ユーザからの入力を受け付けるマウス、キーボード、タッチパネル等の入力装置である。ユーザは、操作入力デバイス１４を操作することで、情報の選択や、ソウフトウェアの操作等を行うことができる。
【００２０】
音声映像入力デバイス１５は、音声を入力するデバイスまたは映像を入力するデバイスを含んで構成されており、マイクやカメラ等が用いられる。音声映像入力デバイス１５によって入力された音声や映像は、データとしてネットワーク４を介して、他の端末装置に送られる。なお、音声映像入力デバイス１５は、必ずしも必要というわけではなく、例えば、一つの会議室に全員が集まり、行われる会議等ではマイクやカメラを用いる必要はない。
【００２１】
記憶部１６は、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置から構成される。記憶部１６は、会議で用いる資料ファイルや、ネットワークを介して入力した画像データ、端末装置の基本プログラム、画像共有用のアプリケーション等、端末装置の動作や画像共有システムの実行に必要なデータやプログラム等を記憶する。
【００２２】
表示部１７は、液晶ディスプレイ、有機ＥＬ等から構成され、資料ファイルの画像を表示させるものである。画像共有システム１を用いた会議中では、端末装置は画像共有用のアプリケーションを起動されており、表示部１７には、アプリケーションウインドウが表示されている。アプリケーションウインドウの中には、１つあるいは複数の資料画像が表示されている。ここで、資料画像は、記憶部１６に記憶されている資料ファイルを開いたときに、表示部１７に表示された資料ファイルの画像のこととする。複数の資料画像が表示されている場合、資料画像ごとにサブウインドウに表示されていても良い。
【００２３】
画像データ取得部１８は、表示部１７に表示されている資料画像ごとに資料画像全体の画像データを取得するものである。画像データ取得部１８は、一般的なプリントスクリーンとは異なり、表示されている資料画像ごとに資料画像全体の画像データを取得することができる。資料画像全体の画像データとは、対象の資料画像のみから構成されており、表示部１７内に収まっている部分全体の画像データのことを指す。画像データ取得部１８は、対象の資料画像以外の資料画像はないものとして、対象の資料画像の画像データを取得する。そのため、取得した画像データは、別の資料画像の一部が入ったり、画像データが欠けていたりすることがない。例えば、表示部１７上では、対象の資料画像の上に別の資料画像が重なっていて見えない部分があったとしても、上に重なっている資料画像をないものとして画像データを取得する。そのため、取得した画像データは、別の資料画像の一部が入ったり、画像データが欠けていたりすることがなく、対象の資料画像全体の画像データとなる。
【００２４】
また、取得された資料画像全体の画像データには、表示部１７に表示されているウインドウのメニューバーや、会議資料等の画像の周りの余白部分等も含まれない。
【００２５】
表示制御部１９は、表示部１７に表示させる画像を制御するものである。主側端末装置２を使用する参加者は、記憶部１６に記憶されている会議で用いる資料ファイルの中から１つあるいは複数のファイルを開いて、表示部１７に選択した資料ファイルの画像を表示させることができ、さらにファイルごとに独立して画像を拡大・縮小することができる。表示制御部１９は、参加者の指示に基づいて表示部１７に表示する画像を制御する。図３は、表示部１７上の画像表示例を示す図である。図３（ａ）は、表示部１７に１つの資料画像を表示させた場合を示し、図３（ｂ）は、表示部１７に３つの資料画像を同時に表示させた場合を示す。
【００２６】
１つの資料画像を表示させる場合、表示制御部１９は、図３（ａ）のように表示部１７全体に資料画像を表示させる。また、表示部１７に表示された資料画像は拡大することが可能であり、表示制御部１９は、拡大する範囲の座標や倍率に応じて拡大処理を行う。図３（ｃ）では、図３（ａ）に示される範囲２１を拡大し、表示部１７に円グラフの部分だけを表示させている。拡大処理を行うことによって、細かく見にくい部分を拡大して表示させることや必要な部分のみを表示させることが可能になる。
【００２７】
複数の資料画像を同時に表示させる場合、表示制御部１９は、図３（ｂ）のように表示部１７に複数の資料画像を同時に表示させる。表示割合を均等にして表示させても良いし、表示割合を不均一にして表示させても良いし、資料画像を重ねて表示させても良い。また、資料画像の配置位置についても自由に操作することができる。複数の資料画像を同時に表示させることによって、参加者は複数の画像に含まれる情報を比較したりすることができるため、会議の活性化に繋げることができる。
【００２８】
さらに、各資料画像を独立して拡大することが可能であり、表示制御部１９は、拡大する範囲の座標や倍率に応じて拡大処理を行う。たとえば、図３（ｄ）では、図３（ｂ）の右側に表示されている２つの資料画像上の範囲２２と範囲２３を拡大し、表示部１７の右側に２つの円グラフだけを表示させている。このとき表示部１７の左側に表示されている資料画像は変化しない。各資料画像を独立して拡大処理を行うことによって、細かく見にくい部分を有する画像だけを拡大して表示させることや複数の資料画像の必要な部分のみを表示させることが可能になる。
【００２９】
また、表示制御部１９は、資料画像を表示すると同時に各資料画像に関する配置位置情報を取得する。配置位置情報には、資料画像の表示サイズ、配置座標、資料画像の表示優先順位などが含まれており、主側端末装置２の表示部１７の表示構成を従側端末装置３で同様に表示するために必要な情報となる。
【００３０】
次に、従側端末装置３の構成について説明する。図４は、従側端末装置３の構成を示すブロック図である。従側端末装置３は、制御部３１、入力部３２、出力部３３、操作入力デバイス３４、音声映像入力デバイス３５、記憶部３６、表示部３７、表示制御部３８を備える。
【００３１】
制御部３１、入力部３２、出力部３３、操作入力デバイス３４、音声映像入力デバイス３５、記憶部３６、表示部３７は、主側端末装置２が有する制御部１１、入力部１２、出力部１３、操作入力デバイス１４、音声映像入力デバイス１５、記憶部１６、表示部１７と同等の機能を有する。
【００３２】
表示制御部３８は、表示制御部１９と同様の機能を有し、表示部３７に表示させる画像を制御するものである。ただし、表示制御部３８は、主側端末装置２から受信した資料ファイルの画像データ等に基づいて表示部３７に主側端末装置２の表示部１７と同様の画像を表示させる。さらに、表示制御部３８は、表示部３７に表示された各画像を独立して拡大・縮小することができる。
【００３３】
次に、図１に基づいて本発明の画像共有システム１における主側端末装置２について説明する。主側端末装置２は、会議の進行役や発表役の参加者が操作する端末装置であり、画像共有システム１に１つだけ備わっている。主側端末装置２は、会議で用いる資料ファイルを記憶部１６に記憶している。会議で用いる資料ファイルは、もともと主側端末装置２に記憶されていたものだけでなく、ＵＳＢ（Ｕｎｉｖｅｒｓａｌ  Ｓｅｒｉａｌ  Ｂｕｓ）等の記憶媒体から入手したものや、ネットワーク４を介して従側端末装置３から入手したもの等も含まれる。図１では、主側端末装置２は、資料ファイルＡ、Ｂ、Ｃ、Ｄを記憶部１６に記憶する。
【００３４】
主側端末装置２を使用している参加者は、会議で用いる資料ファイルとして記憶部１６に記憶されている複数の資料ファイルから１つあるいは複数の資料ファイルを選択し、表示制御部１９により主側端末装置２の表示部１７に表示させることができる。図１では、記憶部１６に記憶されている資料ファイルＡ、Ｂ、Ｃ、Ｄのうち資料ファイルＡ、Ｂ、Ｃを開いて、資料画像Ａ’、Ｂ’、Ｃ’が主側端末装置２の表示部１７に同時に表示されている。資料画像Ｃ’は、資料画像Ｂ’の上に表示されているとする。また、表示制御部１９は、資料画像を表示すると同時に各資料画像に関する配置位置情報を取得する。配置位置情報には、資料画像の表示サイズや配置座標などが含まれており、主側端末装置２の表示部１７の表示構成を従側端末装置３の表示部３７で同様に表示するために必要な情報となる。
【００３５】
さらに、主側端末装置２は、表示部１７の画像を従側端末装置３と共有するために、表示部１７に表示されている資料画像ごとに資料画像全体の画像データを画像データ取得部１８を用いて取得する。このとき、図１のように資料画像Ｃ’が資料画像Ｂ’の上に重なって表示されていたとしても、画像データ取得部１８は、資料画像Ｃ’の下に隠れた部分も含め、資料画像Ｂ’の画像データを取得することができる。
【００３６】
主側端末装置２は、取得した画像データを配置位置情報とともに従側端末装置３に送信する。図１では、資料画像Ａ’、Ｂ’、Ｃ’に対応する画像データＡ’’、Ｂ’’、Ｃ’’が従側端末装置３に送信される。
【００３７】
次に、本発明の画像共有システム１における従側端末装置３について説明する。従側端末装置３は、進行役や発表役以外の参加者が操作する端末装置であり、ネットワーク４を介して主側端末装置２と接続されている。従側端末装置３は、主側端末装置２が送信した画像データ及び各資料画像に関する配置位置情報を受信し、それらに基づいて表示制御部３８により表示部３７に画像を表示する。図１では、従側端末装置３は画像データＡ’’、Ｂ’’、Ｃ’’等が受信し、従側端末装置３の表示部３７には主側端末装置２と同様に資料画像Ａ’、Ｂ’、Ｃ’が表示される。
【００３８】
また、従側端末装置３を使用している参加者は、適宜、表示部３７に表示されている資料画像Ａ’、Ｂ’、Ｃ’の表示サイズ、配置位置、倍率等を変えて表示させても良い。
【００３９】
また、従側端末装置３を使用している参加者は、必ずしも受信した画像データをすべて表示させる必要はなく、受信した画像データから選択し、表示させても良い。図５に示す画像共有システムでは、従側端末装置３ａは、主側端末装置２と同様に資料画像Ａ’、Ｂ’、Ｃ’を表示部３７に表示しているのに対して、従側端末装置３ｂは、資料画像Ｂ’のみを表示している。このように、会議の参加者は、自身の端末装置に主側端末装置２に表示されている画像と同様の画像を共有して表示させることができるだけでなく、受信した画像データの中から選択し、参加者が特に閲覧したい画像だけを表示させることができる。なお、参加者は、１つだけでなく複数の画像データを選択し、表示させることもできる。例えば、受信した画像データＡ’’、Ｂ’’、Ｃ’’の中から画像データＡ’’、Ｂ’’を選択し、２つの資料画像を表示部３７に表示させても良い。
【００４０】
また、従側端末装置３を使用している参加者は、主側端末装置２の記憶部１６に記憶されているが、主側端末装置２から送られてきていない会議で用いる資料ファイルも表示させることができても良い。図５に示す画像共有システムでは、従側端末装置３ｃは、ファイルＤの資料画像Ｄ’を表示している。主側端末装置２は、表示部１７に表示しているファイルのみの画像データを従側端末装置３に送信するため、図１や図５ではファイルＤの画像データは送信されていない。しかし、従側端末装置３を使用している参加者がファイルＤを閲覧したいと思った場合、主側端末装置２にファイルＤの画像データＤ’’を送ってもらうように指示信号を送信することで、主側端末装置２から画像データＤ’’を受信することができる。このとき、該従側端末装置３は、画像データＡ’’、Ｂ’’、Ｃ’’、Ｄ’’を受信していることになるため、その中から表示したい画像データを選択し、表示させることができる。資料画像Ａ’、Ｂ’、Ｃ’を表示させた場合、主側端末装置２の表示に同期して表示されるが、資料画像Ｄ’を表示させた場合、主側端末装置２に表示されていないため、独立して閲覧することになる。このように、会議の参加者は、主側端末装置２の表示部１７に表示されているかいないかに関わらず、自身の端末装置に会議で用いる資料ファイルを表示させることができる。
【００４１】
また、会議の参加者は、本発明の画像共有システム１において、主側端末装置２及び従側端末装置３に表示されている画像にアノテーションを追加することができる。アノテーションとは、文字を書いたり、線をひいたり、付箋を貼ったりする機能である。会議の参加者は、自身の端末装置に表示されている画像にアノテーションを追加することができ、追加したアノテーションは会議に参加している端末装置に共有して表示される。
【００４２】
まず、主側端末装置２にてアノテーションが追加された場合について説明する。主側端末装置２を使用している参加者が、操作入力デバイス１４を用いてアノテーションを追加すると、表示部１７にアノテーションが表示される。それと同時にアノテーションのデータは、主側端末装置２の記憶部１６に記憶される。このとき、アノテーションデータは、書き込まれた画像データと対応付けて記憶される。アノテーションデータは、ベクトル情報からなる差分データであり、起点、終点、軌跡情報、色情報、太さ情報、書き込まれた画像データ情報等を含んでいる。
【００４３】
さらに、記憶部１６に記憶されたアノテーションデータは、ネットワーク４を介して接続している従側端末装置３に送信される。従側端末装置３は、送られてきたアノテーションデータを受信し、表示部３７に表示する。この結果、会議に参加している端末装置間でアノテーションが共有して表示されることになる。ただし、アノテーションが追加された画像データを表示していない従側端末装置３にもアノテーションデータは送られるが、表示部３７には表示されない。アノテーションが追加された画像データを選択することで、画像データとともにアノテーションが表示部３７に表示される。
【００４４】
次に、従側端末装置３にてアノテーションが追加された場合について説明する。従側端末装置３を使用している参加者が、操作入力デバイス３４を用いてアノテーションを追加すると、表示部３７にアノテーションが表示される。さらに、従側端末装置３は、アノテーションのデータをネットワーク４を介して主側端末装置２に送信する。主側端末装置２は、受信したアノテーションデータをもとに表示部１７にアノテーションを表示し、同時にアノテーションデータを主側端末装置２の記憶部１６に記憶する。アノテーションデータは、ベクトル情報からなる差分データであり、起点、終点、軌跡情報、色情報、太さ情報、書き込まれた画像データ情報等を含んでいる。
【００４５】
さらに、記憶部１６に記憶されたアノテーションデータは、ネットワーク４を介して接続している各従側端末装置３に送信される。各従側端末装置３は、送られてきたアノテーションデータを受信し、表示部３７に表示する。この結果、従側端末装置３にてアノテーションが追加された場合でも会議に参加している端末装置間でアノテーションが共有して表示されることになる。
【００４６】
図６は、アノテーションを追加したときの各端末装置の表示を説明する図である。ここで、従側端末装置３ａにおいて、表示部１７の右の画像に矢印と「拡大！」というアノテーションが追加されたとする。追加されたアノテーションのデータは、ネットワーク４を介して主側端末装置２に送信され、主側端末装置２の表示部１７に表示されるとともに主側端末装置２の記憶部１６に記憶される。ここで、図６では、アノテーションデータをＸと表す。主側端末装置２の記憶部１６に記憶されたアノテーションデータＸは、ネットワーク４を介して従側端末装置３に送信される。この結果、アノテーションに対応する画像データを表示していた従側端末装置３ｂの表示部３７にもアノテーションが表示された。
【００４７】
一方、従側端末装置３ｃではアノテーションに対応する画像データを表示していなかったため、従側端末装置３ｃの表示部３７にはアノテーションが表示されていない。従側端末装置３ｃを使用している参加者が、アノテーションに対応する画像データを表示させたときにアノテーションも同時に表示されることになる。
【００４８】
以上のように、本発明の画像共有システム１においては、ネットワーク４を介して接続している主側端末装置２と複数の従側端末装置３間で複数の画像を共有するため、スムーズな会議を実現することができる。また、従側端末装置３を使用する参加者は、受信した画像データの中から選択し、参加者が特に閲覧したい画像データだけを表示させることができる。そのため、会議の参加者は、ストレスなく会議資料を閲覧することができる。
【００４９】
また、会議の参加者は使用している端末装置上でアノテーションを追加することができ、追加されたアノテーションは、会議に参加している端末装置間でアノテーションが共有して表示されることになる。そのため、参加者は、他の参加者に情報を発信し、共有することができるため、有益な会議を実現することができる。
【００５０】
〔実施形態２〕
次に、主側端末装置２の記憶部１６に記憶する資料ファイルに送信規制を設定することができる画像共有システムについて、図面に基づいて説明する。図７は、本発明の一つの実施形態を示す画像共有システム４１のブロック図であり、離れた複数の拠点間で画像共有が行われている場合を示す。実施形態２に係る画像共有システム４１は、離れた３つの拠点をネットワーク４を介して接続し行われている。拠点４２は、会議のメイン会場であり、主側端末装置２及び複数の従側端末装置３を備えている。拠点４３及び拠点４４は、拠点４２とは離れた別々の場所にあり、拠点４３は従側端末装置３ｄを備え、拠点４４は従側端末装置３ｅを備えている。なお、拠点４３及び拠点４４は、複数の従側端末装置を備えていても良い。
【００５１】
主側端末装置２の記憶部１６には、会議で用いる会議資料として資料ファイルＡ、Ｂ、Ｃが記憶されている。資料ファイルＡ、Ｂは、記憶する際に送信規制を設定せずに記憶されたものとする。一方、資料ファイルＣは、拠点４４には送信されないように送信規制を設定し記憶されたものとする。
【００５２】
このとき、資料ファイルＡ、Ｂの画像データＡ’’、Ｂ’’においては、主側端末装置２から拠点４２、拠点４２及び拠点４３の従側端末装置３に送信され、表示部３７に表示される。一方、資料ファイルＣの画像データＣ’’においては、主側端末装置２から拠点４２及び拠点４２の従側端末装置３に送信され、表示部３７に表示されるが、拠点４３の従側端末装置３ｅには送信されない。このとき、従側端末装置３ｅには、画像データＡ’’、Ｂ’’だけが送られてきているため、表示部１７には表示割合を均等にして２つの画像を表示させている。
【００５３】
このように主側端末装置２の記憶部１６に記憶する際に、資料ファイルに送信規制を設定することで、その資料ファイルの画像データの受信先を制限することができる。資料ファイルの送信規制は、拠点、端末装置、端末装置を使用している参加者等で設定を行っても良い。送信制限の設定を行うことで、例えば、社外の拠点を含んで画像共有を行うとき、内部の秘密文書等を社内だけで閲覧できるように送信規制を設定し、秘密文書が外部に漏れないようにすることができる。
【００５４】
なお、送信規制に設定されていない従側端末装置３は、最初に主側端末装置２から画像データが送られてきたとき、主側端末装置２の表示部１７と同様に表示させる。一方、送信規制に設定されている従側端末装置３は、主側端末装置２に表示されている画像データより少ない画像データが送られてくるため、主側端末装置２の表示部１７と同様に表示することができない。そのため、送られてきた画像データの数や向きより表示部３７を適当に分割し、表示させる。
【００５５】
以上、本発明の実施形態について説明したが、本発明は上記の実施形態に限定されるものではなく、本発明の範囲は特許請求の範囲によって示され、特許請求の範囲と均等の意味および範囲内でのすべての変更が含まれることが意図される。
【００５６】
なお、画像共有システム１に参加している各端末装置が、主側端末装置２と従側端末装置３の構成要件を備えることで、主側端末装置２といずれかの従側端末装置３を切り替えることができるようにしても良い。こうすることによって、会議の発表者が途中で交替する場合、端末装置自体を交換する必要がなく、スムーズに発表者を変えて会議を円滑に進めることができるようになる。
【符号の説明】
【００５７】
１、４１  画像共有システム
２  主側端末装置
３  従側端末装置
４  ネットワーク
１１  制御部
１２  入力部
１３  出力部
１４  操作入力デバイス
１５  音声映像入力デバイス
１６  記憶部
１７  表示部
１８  画像データ取得部
１９  表示制御部
２１、２２、２３  範囲
３１  制御部
３２  入力部
３３  出力部
３４  操作入力デバイス
３５  音声映像入力デバイス
３６  記憶部
３７  表示部
３８  表示制御部
４２、４３、４４  拠点
【図１】
2014056367.tif 000003
【図２】
2014056367.tif 000004
【図３】
2014056367.tif 000005
【図４】
2014056367.tif 000006
【図５】
2014056367.tif 000007
【図６】
2014056367.tif 000008
【図７】
2014056367.tif 000009
【図８】
2014056367.tif 000010